(57)【要約】【課題】保護層が露出する前に、トレッドの摩耗末期であることを目視できるようにすることを目的とする。【解決手段】一対のビード部間に跨るカーカスプライ１２と、カーカスプライ１２のクラウン部１２Ａのタイヤ半径方向外側に設けられベルト層１４と、ベルト層１４のタイヤ半径方向外側に設けられた保護層１６と、糸状体２０のタイヤ半径方向外側に設けられ、周方向溝によってリブ３０，３２，２４が区画形成されたトレッド１８と、保護層１６とトレッド１８との間、又はトレッド１８内に設けられ、タイヤ軸方向に延在し、タイヤ周方向に間隔を空けて配置される糸状体２０と、を有する。【選択図】図１
2014213651.tif 000002
【特許請求の範囲】
【請求項１】
一対のビード部間に跨るカーカスプライと、
前記カーカスプライのクラウン部のタイヤ半径方向外側に設けられたベルト層と、
前記ベルト層のタイヤ半径方向外側に設けられた保護層と、
前記保護層のタイヤ半径方向外側に設けられ、周方向溝によってリブが区画形成されたトレッドと、
前記保護層と前記トレッドとの間、又は前記トレッド内に設けられ、タイヤ軸方向に延在し、タイヤ周方向に間隔を空けて配置される糸状体と、
を有する航空機用空気入りタイヤ。
【請求項２】
タイヤ軸方向における前記糸状体の両端は、前記ベルト層のタイヤ軸方向両端と同じか又は該両端よりタイヤ軸方向外側に位置する請求項１に記載の航空機用空気入りタイヤ。
【発明の詳細な説明】
【技術分野】
【０００１】
本発明は、航空機用空気入りタイヤに関する。
【背景技術】
【０００２】
航空機に好適な空気入りラジアルタイヤにおいて、ベルト層とトレッドとの間に保護層を配設した構造が開示されている（特許文献１参照）。
【先行技術文献】
【特許文献】
【０００３】
【特許文献１】特許第４４２４９８９号公報
【発明の概要】
【発明が解決しようとする課題】
【０００４】
航空機用空気入りタイヤは、トレッドが摩耗して、周方向溝の残溝深さが所定値まで減少すると、トレッドの摩耗末期に至ったものとして航空機から取り下ろされる。従って、溝以外の箇所であるリブが局所的に摩耗してしまっても、残溝深さが所定値まで減少していないと、使用条件等によっては、その状態がトレッドの摩耗末期と認識されないことがあった。
【０００５】
本発明は、上記事実を考慮して、保護層が露出する前に、トレッドの摩耗末期であることを目視できるようにすることを目的とする。
【課題を解決するための手段】
【０００６】
請求項１の発明は、一対のビード部間に跨るカーカスプライと、前記カーカスプライのクラウン部のタイヤ半径方向外側に設けられベルト層と、前記ベルト層のタイヤ半径方向外側に設けられた保護層と、前記保護層のタイヤ半径方向外側に設けられ、周方向溝によってリブが区画形成されたトレッドと、前記保護層と前記トレッドとの間、又は前記トレッド内に設けられ、タイヤ軸方向に延在し、タイヤ周方向に間隔を空けて配置される糸状体と、を有している。
【０００７】
請求項１に記載の航空機用空気入りタイヤでは、保護層とトレッドとの間、又はトレッド内に糸状体が設けられているので、周方向溝の残溝深さが所定値まで減少するよりも早くリブの摩耗が局所的に進んだ場合には、糸状体が最初に露出する。このため、保護層が露出する前に、トレッドの摩耗末期であることを目視することができる。
【０００８】
請求項２の発明は、請求項１に記載の航空機用空気入りタイヤにおいて、タイヤ軸方向における前記糸状体の両端が、前記ベルト層のタイヤ軸方向両端と同じか又は該両端よりタイヤ軸方向外側に位置している。
【０００９】
請求項２に記載の航空機用空気入りタイヤでは、タイヤ軸方向における糸状体の両端が、ベルト層のタイヤ軸方向両端と同じか又は該両端よりタイヤ軸方向外側に位置しているので、リブの摩耗が局所的に進んだ際に、保護層から外れた領域においてベルト層が糸状体よりも先に露出することが抑制される。このため、ベルト層が露出する前に、トレッドの摩耗末期であることを目視することができる。
【発明の効果】
【００１０】
本発明に係る航空機用空気入りタイヤによれば、保護層やベルト層が露出する前に、トレッドの摩耗末期であることを目視することができる、という優れた効果が得られる。
【図面の簡単な説明】
【００１１】
【図１】タイヤ回転軸を含む面で切断した航空機用空気入りタイヤを示す断面図である。
【図２】トレッド及びその下層の構造を示す部分破断展開図である。
【発明を実施するための形態】
【００１２】
以下、本発明を実施するための形態を図面に基づき説明する。図面において、矢印Ｒ方向はタイヤ半径方向を示し、矢印Ｗ方向はタイヤ軸方向を示す。タイヤ回転軸（図示せず）から遠のく方向を、「タイヤ半径方向外側」という。タイヤ赤道面ＣＬから遠のく方向をタイヤ軸方向外側といい、タイヤ赤道面ＣＬに近づく方向をタイヤ軸方向内側という。
【００１３】
図１において、本実施形態に係る航空機用空気入りタイヤ１０は、一対のビード部（図示せず）間に跨るカーカスプライ１２と、ベルト層１４と、保護層１６と、トレッド１８と、糸状体２０と、を有している。
【００１４】
ベルト層１４は、カーカスプライ１２のクラウン部１２Ａのタイヤ半径方向外側に設けられている。図２に示されるように、ベルト層１４は、例えば６層の主ベルト層１５と、１層の副ベルト層１７とで構成されている。主ベルト層１５の各層は、タイヤ周方向に螺旋状に巻かれたコード２５を含んで構成されている。このコード２５は、有機繊維（例えば、芳香族ポリアミド）で構成されている。副ベルト層１７は、タイヤ赤道面ＣＬに対して、例えば２〜２５°の角度で傾斜し、タイヤ軸方向端部で反対方向に傾斜するように同一面内で屈曲してタイヤ周方向にジグザグ状に延びる複数本のコード２７を含んで構成されている。このコード２７は、有機繊維（例えば、脂肪族ポリアミド）で構成されている。
【００１５】
保護層１６は、ベルト層１４のタイヤ半径方向外側に設けられている。この保護層１６は、タイヤ周方向に波状に延びる複数本の波状コード２２を、互いに平行に並べてゴムコーティングしたものである。波状コード２２は、有機繊維（例えば、脂肪族ポリアミド）で構成されている。
【００１６】
トレッド１８は、保護層１６のタイヤ半径方向外側に設けられ、例えば４本の周方向溝２４，２６によってリブ３０，３２，３４が区画形成されている。リブ３０は、タイヤ赤道面ＣＬの両側の周方向溝２４によって区画され、タイヤ赤道面ＣＬを含むタイヤ軸方向の中央部に位置している。リブ３２は、周方向溝２４，２６によって区画され、中央部のリブ３０より幅狭となっている。リブ３４は、周方向溝２６によって区画され、該周方向溝２６のタイヤ軸方向外側に位置している。リブ３２，３４は、タイヤ赤道面ＣＬの両側に夫々形成されている。なお、周方向溝の数は、６本であってもよい。この場合、リブの数も更に増加する。
【００１７】
糸状体２０は、保護層１６とトレッド１８との間、又はトレッド１８内に設けられ、タイヤ軸方向に延在し、タイヤ周方向に間隔を空けて配置されている。糸状体２０は、タイヤ周方向に少なくとも１２本配置される。これは、航空機用空気入りタイヤ１０の接地範囲の下層に、少なくとも１本の糸状体２０を位置させるためである。一方、タイヤ周方向において隣り合う糸状体２０の間隔Ｄの最小値は、２０〜３０ｍｍ程度である。これは、間隔Ｄが狭すぎることによるセパレーションの発生を抑制するためである。この間隔Ｄは一定でもよく、また不等であってもよい。糸状体２０は、有機繊維（例えば、脂肪族ポリアミド）で構成されているが、材質はこれに限られるものではなく、他の材料を用いてもよい。
【００１８】
タイヤ軸方向における糸状体２０の両端は、ベルト層１４のタイヤ軸方向両端と同じか又は該両端よりタイヤ軸方向外側に位置している。具体的には、タイヤ軸方向における糸状体２０の長さ及び位置は、ベルト層１４の幅及び位置と同等である。これは、トレッド１８に局所摩耗が生じた際に、糸状体２０より先にベルト層１４が露出することがないようにするためである。なお、タイヤ軸方向における糸状体２０の範囲は、ベルト層１４の範囲よりも狭くてもよく、また広くてもよい。
【００１９】
糸状体２０の配置は、タイヤ軸方向と平行に限られず、タイヤ軸方向に対して傾斜していてもよい。また、タイヤ周方向に隣り合う糸状体２０同士は、互いに平行でなくてもよい。更に、糸状体２０は、タイヤ軸方向に細切れに配置されていてもよい。また、糸状体２０の両端部をタイヤ周方向溝に延びる縦糸（図示せず）で夫々連結して、糸状体２０を全体として梯子状に構成してもよい。更に、糸状体２０は、リブ３０，３２，３４内に配置されていてもよい。
【００２０】
タイヤ軸方向において、糸状体２０を細切れに配置して、リブ３０，３２，３４の幅に応じて、タイヤ周方向の間隔Ｄを変化させてもよい。例えば、比較的幅広のリブ３０の下層に位置する糸状体２０の間隔Ｄを小さくし、比較的幅狭のリブ３２，３４の下層に位置する糸状体２０の間隔Ｄを広くすることができる。
【００２１】
（作用）
本実施形態は、上記のように構成されており、以下その作用について説明する。図１において、本実施形態に係る航空機用空気入りタイヤ１０では、保護層１６とトレッド１８との間、又はトレッド１８内に糸状体２０が設けられているので、周方向溝２４，２６の残溝深さが所定値まで減少するよりも早くリブの摩耗が局所的に進んだ場合には、糸状体２０が最初に露出する。このため、保護層１６が露出する前に、トレッド１８の摩耗末期であることを目視することができる。
【００２２】
また、タイヤ軸方向における糸状体２０の両端が、ベルト層１４のタイヤ軸方向両端と同じか又は該両端よりタイヤ軸方向外側に位置しているので、リブ３０，３２，３４の摩耗が局所的に進んだ際に、保護層１６から外れた領域においてベルト層１４が糸状体２０よりも先に露出することが抑制される。このため、ベルト層１４が露出する前に、トレッド１８の摩耗末期であることを目視することができる。
【符号の説明】
【００２３】
１０  航空機用空気入りタイヤ、１２  カーカスプライ、１２Ａ  クラウン部、１４  ベルト層、１６  保護層、１８  トレッド、２０  糸状体、２４  周方向溝、２６  周方向溝、３０  リブ、３２  リブ、３４  リブ
【図１】
2014213651.tif 000003
【図２】
2014213651.tif 000004